(57)【要約】【課題】  写真フィルムに記録された画像を搬送しながら読み取り、同時に読み取り終わった写真フィルムを巻き取る場合、フィルムが斜行したまま巻き芯に巻き取られると、走査部分のフィルムが歪んでしまうが、斜行を許容しながらも走査部分に歪みが生じることを防ぐ。【解決手段】  フィルムを巻き取る巻き芯１０１を可動ハウジング（巻き芯支持部）１０２に回転自在に支持し、可動ハウジング１０２を、本体側ハウジング（本体部）１０３に対して巻き芯１０１の軸方向に移動可能に支持する。また、巻き芯１０１に巻き取られるフィルム１００を押さえ付ける押圧ローラ１０４を可動ハウジング１０２に取り付ける。フィルムに斜行が生じても、それにならって巻き芯が可動ハウジング１０２ごと軸方向に移動するので、走査部分のフィルムの歪みが防止される。【選択図】  図１
2005200188.tif 000002
【特許請求の範囲】
【請求項１】
搬送されるフィルムを巻き取る巻き芯と、
前記巻き芯を回転自在に支持した巻き芯支持部と、
前記巻き芯支持部を前記巻き芯の軸方向に移動自在に支持した本体部と
を備えることを特徴とするフィルム巻取り装置。
【請求項２】
前記巻き芯支持部に取り付けられ、前記フィルムを前記巻き芯に向けて押圧しガイドする押圧ガイド手段をさらに備えることを特徴とする請求項１に記載のフィルム巻取り装置。
【請求項３】
前記巻き芯支持部が、前記巻き芯の軸方向の所定の位置に位置するように付勢する付勢手段を備えることを特徴とする請求項１または２に記載のフィルム巻取り装置。
【請求項４】
前記押圧ガイド手段が、前記巻き芯に巻き取られるフィルムから退避可能に装備されていることを特徴とする請求項１〜３のいずれかに記載のフィルム巻取り装置。
【発明の詳細な説明】
【技術分野】
【０００１】
本発明は、写真フィルムの現像作業に利用されるフィルムスキャナーの巻取り機構に係り、フィルムの巻取り、および巻き戻しをスムーズに行うことが出来るフィルム巻取り装置に関する。
【背景技術】
【０００２】
現象済みのフィルムから、写真をプリントする作業を行う場合に、フィルムに記録された画像を読み取るための装置がある。この装置はフィルムスキャナーと呼ばれ、フィルムを搬送させてフィルムに撮影された画像を走査する処理が行われる。この処理では、現像したフィルムを一旦巻取り装置に巻取り、巻き戻しを行いながら、画像を走査し、画像の検査や写真への焼付けのために必要となる画像の読み取り作業が行われる。上述の巻取り装置では、巻き取られるフィルムを巻き芯の方向に押さえ付けるガイドが配置されている。このフィルムスキャナーに関する技術として、例えば特許文献１に記載されたものが公知である。
【０００３】
【特許文献１】特開平０９−０５０１０７号公報
【発明の開示】
【発明が解決しようとする課題】
【０００４】
上述したフィルムの巻取り、および巻き戻しにおいて、搬送するフィルムが蛇行する現象が発生する。この現象は、フィルムが剛性のある材質ではないため不可避に発生してしまう。
【０００５】
上記のフィルムの蛇行が発生すると、フィルムが巻き芯に対して斜行し、フィルムに傾きや湾曲が発生し、その状態が是正されずに巻取り装置に巻き取られ、あるいは巻き出されてしまう。この結果、フィルムを巻取り装置から巻き戻し、一枚ずつ画像の走査を行った際に、画像の読み取り箇所でフィルムに捩れ（捻れ）や傾きが発生し、読み取る画像のピントにボケや像の歪みが発生する。このため、読み取った画像が歪んだり、不鮮明になったりする。
【０００６】
写真への焼付けは、この走査して読み取った画像データを用いて行うので、上述したピントのボケや像の歪みは、最終的に得られる写真の写り具合に悪影響を及ぼす。
【０００７】
上述した問題は、フィルムを巻き芯方向に押さえ付けるガイドが存在することで助長される。すなわち、ガイドの部分では、ある程度強制的にフィルムが巻き芯側に押さえ付けられるので、その部分ではフィルムはその幅方向における自由な動きが制限されている。そのため、搬送途中のフィルムが蛇行した場合に、ガイドの部分において、フィルムの蛇行に従うフィルムのその幅方向における動きが制限され、フィルムの捩れや傾きが発生し易くなる。
【０００８】
本発明は、フィルムを巻き取りながら、あるいは巻き取ったフィルムを巻き戻しながらフィルムの画像を読み取る際に発生するフィルムの蛇行に起因するフィルムの捩れや傾きを防止し、フィルムから画像を読み取る際にピントのボケや象の歪みが生じる不都合が発生しないようにする技術を提供することを目的とする。
【課題を解決するための手段】
【０００９】
本発明のフィルム巻取り装置は、搬送されるフィルムを巻き取る巻き芯と、この巻き芯を回転自在に支持した巻き芯支持部と、この巻き芯支持部を前記巻き芯の軸方向に移動自在に支持した本体部とを備えることを特徴とする。
【００１０】
本体部とは、フィルム巻取り装置の筐体に固定された部材であり、通常は、フィルム巻取り装置の筐体の一部、あるいはフィルム巻取り装置にネジや溶接等で固定される部材である。本発明では、この本体部に巻き芯支持部が支持され、巻き芯支持部に巻き芯が支持される。
【００１１】
この発明によれば、フィルム巻取り装置に備えられるフィルムの巻取り構造において、巻き芯（巻取り軸）を回転自在に支持した支持部（ハウジング）が巻き芯の軸方向に自在に移動可能になっているので、フィルムの巻取り作業、あるいは巻き戻し作業中において、フィルムが蛇行し、斜行したとしても、その蛇行に合わせて巻き芯支持部が巻き芯の軸方向に自在に移動する。このため、フィルムに蛇行が生じたとしても、巻き芯支持部の追従により、フィルムに無理な力が加わる状態を回避できる。この結果、フィルムの捩れや傾きが防止される。
【００１２】
すなわち、フィルムが蛇行すると、フィルムが巻き芯に対して、垂直な方向から僅かにかたむいた方向から巻き取られ、巻き戻される状態となる。この時、フィルムから巻き芯の軸方向への力が加わる。巻き芯支持部は、巻き芯の軸方向に自在に移動できる構造となっているので、この力を受けて、巻き芯が巻き芯支持部ごとその軸方向にスライドする。このスライドの結果、巻き芯に対してフィルムが垂直になる状態に近づくので、フィルムの蛇行が吸収され、緩和されることになる。そして、フィルムが巻き芯に対して垂直な向きから傾く状態が緩和されるので、フィルムに捩れや傾きが発生するのが防止される。
【００１３】
本発明のフィルム巻取り装置において、巻き芯支持部に取り付けられ、フィルムを巻き芯に向けて押圧しガイドする押圧ガイド手段をさらに備えることは好ましい。この態様によれば、フィルムを巻き芯方向に押えガイドする押圧手段が、巻き芯支持部と共に巻き芯の軸方向に自在に移動するので、フィルムの蛇行が発生した場合に、この押圧手段の部分でフィルムが押さえ付けられてその動きが制限され、それにより、フィルムの捩れ（捻れ）や傾きが助長されてしまう現象を抑制することができる。
【００１４】
押圧ガイド手段は、フィルムを巻き芯方向に押え、巻き芯に巻かれてゆくフィルムを適当な圧力で巻き芯の方向に押さえ付けることで、巻き付けられた状態のフィルムに緩みが生じるようなことがないように作用するガイドである。しかしながら、従来の構造では巻取り作業中にフィルムが蛇行した場合、この押圧ガイドが接触している部分でフィルムが押さえ付けられるので、フィルムの蛇行がこの部分を支点としたものとなり、そのため、フィルムの捩れ（捻れ）や傾きが助長されてしまう。
【００１５】
上記態様によれば、フィルムに蛇行が生じた場合、その蛇行に応答して、巻き芯支持部と共に押圧ガイド部が巻き芯の軸方向に自在に動くので、押圧ガイド部分でフィルムがその移動方向を無理矢理に変えようとすることに起因して発生する、フィルムの捩れ（捻れ）や傾きが助長されてしまう現象が緩和される。
【００１６】
本発明のフィルム巻取り装置において、巻き芯支持部が、巻き芯の軸線上の所定の位置に位置するように付勢する付勢手段を備えることは好ましい。この態様によれば、巻き芯支持部が、巻き芯の軸方向に移動自在であると同時に、付勢手段により、巻き芯の軸方向の所定の位置に弾力的に位置合わせを行う力が働く状態が得られる。したがって、フィルムの蛇行に従って巻き芯支持部が巻き芯の軸方向にスライドしても、付勢手段によりその変位を元に戻そうとする力が働く。これにより、フィルムの蛇行を吸収する機能と、巻取りが行われる位置を所定の部分（あるいは所定の領域）に保とうする機能とを同時に得ることができる。
【００１７】
この態様によれば、巻き芯支持部の軸線上における位置が緩く所定の範囲内に制限され、それにより、フィルムに蛇行が発生し、それに従って巻き芯支持部の巻き芯の軸方向への移動が発生しても、その移動はある程度の範囲内に押えられ、しかもその変位に応じて元の位置に戻ろうとする力が付勢手段から加わる。これにより、フィルムの蛇行による不都合を抑えつつフィルムの走行位置が極端にブレないように調整することができる。
【００１８】
本発明のフィルム巻取り装置において、押圧ガイド手段が、巻き芯に巻き取られるフィルムから退避可能に装備されていることは好ましい。この態様によれば、フィルムを高速で巻取りあるいは巻き出し（巻取りの逆操作）を行う際に、押圧ガイド部がフィルムを押さえ付けガイドする状態から退避するので、押圧ガイドによって押えられることで、フィルムの捩れや傾きの発生が助長される事態を回避することができる。
【発明の効果】
【００１９】
本発明によれば、フィルムを巻き取る巻き芯が巻き芯支持部と共に、その軸方向に自在に移動するので、巻取り作業あるいは巻き戻し作業中において、搬送途中のフィルムが蛇行しても、その蛇行の具合に合わせて巻き芯が軸方向に自在に平行移動し、フィルムの蛇行する動きを吸収する。このため、フィルムに無理な力が加わらず、フィルムの捩れや傾きが防止される。そして、画像走査におけるピントのボケや撮像画像の歪みが防止される。
【００２０】
また、本発明によれば、巻き芯支持部が巻取り軸の軸方向に平行移動するのに従い、フィルムを巻き芯に向けて緩やかに押さえ付けガイドする押圧手段も巻取り軸方向に自在に移動する。このため、フィルムに蛇行が発生しても、その動きに追従して押圧手段も巻き芯支持部と共に動き、そのためフィルムに無理な力が加わらず、フィルムの捩れや傾きが防止される。
【発明を実施するための最良の形態】
【００２１】
第１の実施形態
本実施形態は、現像された写真フィルムの写真用紙への焼付けや写真の焼き増し処理に用いられる画像読み取り装置（フィルムスキャナー）に本発明を適用した場合の例である。この画像読み取り装置は、写真フィルムに記録された画像を搬送しながら読み取り、また写真フィルムを巻き取る機能を有する。本実施形態は、この写真フィルムを巻き取る機構に本発明を適用した例である。
【００２２】
１−１．第１の実施形態の構成
図１は、本発明のフィルム巻取り装置の一例の概要を示す上面図である。図２は、図１のフィルム巻取り装置の巻き芯支持部の断面構造を示す断面図である。
【００２３】
図１および図２には、フィルム１００、巻き芯１０１、可動ハウジング１０２、本体側ハウジング１０３、押圧ローラ１０４、押圧ローラ付勢用バネ１０５、フランジ１０６、付勢用バネ支持棒１０７、押圧部材１０８、駆動軸１０９、ギア１１０、モータ１１１、可動ハウジング付勢用バネ１１２、付勢用バネ支持棒１１３、押圧部材１１４および押圧ローラ２０１が示されている。
【００２４】
フィルム１００は、レンズ付きフィルムや一眼レフカメラ等で撮影を行ったフィルムであり、後述するようにカメラに装着されるフィルムカートリッジから引き出された状態にある。巻き芯１０１は、フィルム１００を巻き取るための巻取りローラとして機能する。可動ハウジング１０２は、巻き芯１０１を回転自在に支持し、さらに本体側ハウジング１０３に対して、巻き芯１０１の軸方向１１５に移動自在に固定されている。つまり、可動ハウジング１０２は、巻き芯１０１を回転自在に且つ軸方向への移動は一体となるように保持している。よって、巻き芯１０１をその軸方向に移動させようとすると、可動ハウジング１０２も同時に移動する。また、本体側ハウジング１０３は、本実施形態のフィルム巻取り装置本体側の構造体で、後述する画像読み取り装置の筐体に固定されている。
【００２５】
押圧ローラ１０４は、巻き芯１０１に巻き取られるフィルム１００を巻き芯１０１の方向に緩く押さえ付け、フィルム１００を巻き取り面１１６に密着させるための押え（ガイド）として機能する押圧ガイド手段である。押圧部材１０８は、押圧ローラ１０４を備え、押圧ローラ付勢用バネ１０５の反発力によって、付勢用バネ支持棒１０７を軸として回転する方向に力を加え、それにより押圧ローラ１０４を介して巻き取り面１１６を緩く押さえ付ける。押圧ローラ用付勢バネ１０５は、捻りコイルバネであって、捻る向きの力が加わった状態で、一端が本体側ハウジング１０２に接触し、他端は押圧部材１０８に接触し、押圧ローラ１０４を巻き取り面１１６に（つまり、巻芯１０１に向かって）押圧する力を発揮する状態となっている。この構造は、押圧ローラ２０１を備えた押圧部材１１４においても同じである。
【００２６】
フランジ１０６は、巻き芯１０１の両端に鍔状に取り付けられ、巻き芯１０１上におけるフィルム１００の巻取られる位置を決める機能を有する。付勢用バネ支持棒１０７は、両端が可動ハウジング１０２に固定され、押圧ローラ付勢用バネ１０５の軸として機能する。
【００２７】
駆動軸１０９は、巻き芯１０１に回転力を伝えるための回転軸である。駆動軸１０９に対して、巻き芯１０１はその軸方向に移動自在で、且つ駆動軸１０９から巻き芯１０１に回転駆動力は伝わる構造となっている。この構造の一例を以下に説明する。
【００２８】
図４は、巻き芯をその軸方向に移動自在にする構造の一例を示す概念図である。図４（Ａ）は、巻き芯に駆動軸が結合した状態を示し、図４（Ｂ）は、結合を解いて、両者を引き離した状態を示す。
【００２９】
図４に示す構造では、巻き芯１０１は円筒構造を有し、円筒内部となる中空部４０３と、その中空部において軸方向に延在して形成された溝４０１が形成されている。他方で、駆動軸１０９は、溝４０１に緩く噛み合うプレート４０２を備えている。このような構造とすることで、駆動軸１０９は、巻き芯１０１に対して出し入れ自在で、且つ回転力は伝わる状態で結合される。
【００３０】
すなわち、駆動軸１０９の外径は、巻き芯１０１の中空部４０３の内径より僅かに小さく設定され、プレート４０２は溝４０１の延在方向に沿って摺動可能な構造となっている。したがって、駆動軸１０９を巻き芯１０１の中空部４０３に挿入した状態で、巻き芯１０１は、駆動軸１０９に対して、その軸方向にスライド可能となる。一方、プレート４０２と溝４０１とが噛み合うことで、駆動軸１０９から巻き芯１０１への回転力は伝えることができる。こうして、巻き芯１０１は、駆動軸１０９に対して、軸方向に移動自在で、且つ回転力は伝わる構造が実現される。なお、プレート４０２は、３方向あるいは４方向に配置されていてもよい。
【００３１】
ギア１１０は、駆動軸１０９を介してモータ１１１からの駆動力を巻き芯１０１に伝える機能、および所定の値以上のトルク負荷が駆動軸１０９に加わった場合、その値以上のトルクがモータ１１１から駆動軸１０９に伝わらないようにするトルクリミッターの機能の有する。この機能により、何らかの理由によりフィルム１００がどこかで引っかかる等した場合に、フィルムが無理に引っ張られ、フィルムが破損してしまう危険性が減少する。
【００３２】
可動ハウジング付勢用バネ１１２は、付勢用バネ支持棒１１３に取り付けられ、可動ハウジング１０２を両側から中央（巻き芯１０１の中央）方向へ付勢する。この例では、可動ハウジング１０２が本体側ハウジング１０３の凹部１１７の中央に位置している状態（つまりフィルムに蛇行が発生しない場合の理想的な中央位置）では、可動ハウジング付勢用バネ１１２は、可動ハウジング１０２を付勢する機能は発揮しない。しかしながら、可動ハウジング１０２が巻き芯１０１の軸方向にある程度動くと、どちらかの可動ハウジング付勢用バネ１１２に可動ハウジングが接触し、可動ハウジング１０２を本体側ハウジング１０３の凹部１１７の中央に戻すように付勢する。
【００３３】
つまり、可動ハウジング１０２が巻き芯１０１の軸方向にある程度移動すると、巻き芯１０１の中央方向に勢いを付けて支持される機能が現れる。これにより、可動ハウジングに、ある程度の動きは許容されるが、所定の位置付近に位置するように緩く付勢された構造が実現される。
【００３４】
可動ハウジング付勢用バネ１１２を可動ハウジング１０２に接触させ、常に付勢状態にしてもよい。この場合、可動ハウジングの位置調整機能は、より強いものとなる。また、可動ハウジング付勢用バネ１１２を一方のみとし、その一端を本体側ハウジングに固定し、他端を可動ハウジングに固定してもよい。こうすると、引っ張りに対してバネが収縮しようとする反発力と、縮めようとする力に対するバネの伸びようとする反発力とを利用して、可動ハウジング１０３の移動に応答し、その位置を所定の位置に留めようとする機能を得ることができる。
【００３５】
ここでは、コイルバネを採用した可動ハウジング付勢用バネ１１２による付勢手段の例を説明したが、同様な機能を有する材料や構造であれば、これに限定されるものではない。たとえば、可動ハウジング付勢用バネ１１２の代わりとして、ゴムやスポンジ等で構成された円筒形状の弾性部材を用いることができる。また、板バネや液体や気体を用いてバネと同様の機能を発現する部材を用いることもできる。
【００３６】
可動ハウジング１０２は、蝶番部２０２（図２参照）を備え、上側が開く構造になっている。この蝶番部２０２の機能により、可動ハウジング１０２の上側を空けることができ、フィルム１００の端部を巻き芯１０１に巻き付ける作業を行うことができる。
【００３７】
次に上述したフィルム巻取り装置を備えた画像読み取り装置の一例を説明する。図３は、画像読み取り装置の一例を示す概念図である。図３には、フィルムカートリッジ３０１、フィルム１００、ガイドローラ３０３、発光部３０４、ランプ３０５、光学系３０６、受光部３０７、ガイドローラ３０８、フィルム巻取り装置３０９、フィルム巻取り装置３０９を保持する本体側ハウジング１０３を備えた画像読み取り装置３１１が示されている。
【００３８】
フィルムカートリッジ３０１は、内部にフィルムが巻き込んであり、カメラに装着されて写真撮影を行うためのフィルム保持手段である。ここでは、写真撮影が行われた後にカメラから取り外された状態のフィルムカートリッジ３０１が画像読み取り装置３１１に装着された状態が示されている。本実施形態では、ＡＰＳ規格（Advanced Photo System）のフィルムの例を説明する。フィルムとしては、所謂３５ｍｍフィルム等の他の規格のものを用いることもできる。
【００３９】
ガイドローラ３０３および３０８は、搬送されるフィルム３０２をガイドするローラである。発光部３０４は、フォルム１００に光を照射する機能を有し、発光素子であるランプ３０５を備えている。光学系３０６は、フィルム１００を透過した光を集光するレンズ系である。撮像部３０７は、光学系３０６を介してフォルム１００の画像を撮像する機能を有し、例えばＣＣＤカメラを備える。フィルム巻取り装置３０９は、図１および図２に示す構成を有している。
【００４０】
１−２．第１の実施形態の動作
撮影が終了したＡＰＳフィルムのフィルムカートリッジ３０１は、図示しないカメラから取り外され、現像が行われる。現像が行われたら、図３に示す画像読み取り装置３１１にフィルムカートリッジ３０１を装着し、フィルム１００を引き出し、その端をフィルム巻取り装置３０９に装着する。この際、蝶番２０２の機能によりフィルム巻取り装置３０９の上側を開き、フィルム１００の端を巻き芯１０１に巻き付ける。
【００４１】
巻き芯１０１にフィルム１００の端を巻き付けたら、モータ１１１（図１参照）を回転させ、フィルム１００のフィルム巻取り装置３０９への巻取り作業を行う。こうして、フィルムカートリッジ３０１に巻取られていたフィルム１００を引き出し、フィルム巻取り装置３０９に巻き取る。
【００４２】
この巻取り作業の過程において、ランプ３０５を発光させ、フィルム１００に記録された画像の絵柄、濃度等の画像情報が撮像部３０７から取り込まれる。
【００４３】
フィルム巻取り装置３０９への巻取りが終了したら、巻き取られたフィルム１００を巻き戻し、フィルム１００に記録された画像の走査を行う。この際、ランプ３０５を発光させ、光学系３０６を介して撮像部３０７でフィルム１００に記録された画像を読み取る。
【００４４】
本実施形態では、フィルム１００の巻取り作業および巻き戻し作業の過程において、フィルムの蛇行に従うフィルムの傾きや捩れが防止される。このため、フィルム１００の巻取り装置３０９からの巻き戻しを行いながらの画像の走査において、読み取った画像の歪みやピントのボケを抑制することができる。
【００４５】
以下、フィルムの傾きや捩れが抑制される点について説明する。図３に示す構成において、フィルム１００をフィルムカートリッジ３０１から引き出し、フィルム巻取り装置３０９に巻き取る作業において、フィルム１００が左右に蛇行したとする。この場合、その蛇行に従って、図１に示す巻き芯１０１の軸方向１１５にフィルムが動く。それにより、フィルム１００の動く方向にフランジ１０６に力が加わり、その力によって可動ハウジング１０２がその方向に押され、結果、このフィルムが蛇行する動きに追従して巻き芯１０１が可動ハウジング１０２ごと軸方向１１５の方向に移動する。
【００４６】
すなわち、可動ハウジング１０２は、巻き芯１０１を回転自在に且つ軸方向への移動は一体となるように保持しているので、フィルム１００が蛇行し斜行が発生すると、その斜行した方向に押す力がフランジ１０６に加わり、さらにその力が可動ハウジング１０２に伝わって、可動ハウジング１０２はフィルムが動く方向に追従して動くことになる。
【００４７】
また、押圧ガイド手段である押圧ローラ１０４が、可動ハウジング１０２と共に巻き芯１０１の軸方向１１５に自在に移動するので、押圧ローラ１０４が移動できないことに起因して、フィルム１００に発生する傾きや捻れが助長される事態が防止される。
【００４８】
また、本実施形態においては、可動ハウジング付勢用バネ１１２によって、可動ハウジング１０２の移動が緩く規制され、本来フィルム１００が位置すべき場所に向かって可動ハウジング１０２が緩く付勢された状態となるので、搬送中のフィルム１００に蛇行が発生しても、その状態をある程度許容し吸収しながら、同時に抑制する機能が働く。つまり、蛇行が大きく、フィルム１００が軸方向１１５に大きく動くような場合、可動ハウジング付勢用バネ１１２によって、可動ハウジング１０２が押し戻され、その動きが緩く押えられるような力が加わる。こうして、フィルム１００の蛇行を吸収しつつ、その状態をある程度抑制する機能が得られる。
【００４９】
以上述べたような作用（仕組み）により、フィルム１００の蛇行状態が吸収され、無理に斜めになった状態で巻き芯１０１にフィルム１００が巻き取られる状態が避けられ、さらに巻き取り面１１６が部分的に膨らんだり、平坦な巻き面が損なわれたりする事態が避けられる。また、同様な理由により、巻き戻される際にもフィルムの傾きや捩れが防止される。
【００５０】
このため、フィルム巻取り装置３０９に巻き取られたフィルム１００を巻き戻し、撮影された画像を読み取る作業において、読み取りが行われる部分におけるフィルムの傾きや捻れが抑制される。したがって、読み取られた画像が歪んだり、ピントがぼけたりすることが防止され、不鮮明な画像が読み取られてしまう事態が避けられる。
【００５１】
なお、ここではフィルムカートリッジ３０１からフィルム１００を引き出し、フィルムを一旦、フィルム巻取り装置３０９に巻き取り、その後に巻き戻しを行いながら、画像の読み取りを行う場合を説明したが、フィルム１００をフィルム巻取り装置３０９に巻き取りながら、画像の読み取りを行っても良い。
【００５２】
２．第２の実施形態  
図５は、巻き芯支持部の他の態様の断面構造を示す断面図である。図５に示す態様では、図２に示す態様における捻りコイルバネ１０５の代わりに、伸縮長を自在に調整でき、しかも縮める方向への変位に対する弾性力を発揮するピストン型の伸縮装置５０１および５０２を配置している。
【００５３】
すなわち、押圧ローラ１０４を備えた押圧部材１０８は、符号５０３の部分で可動ハウジング１０２に軸支され、伸縮装置５０１によってフィルム１００の巻き取り面１１６を押圧する力が加えられる。伸縮装置５０１は、その伸長する方向に力を加えるが、この力はその軸方向において弾性的に発揮されるので、押圧ローラ１０４は、捻りコイルバネを用いた場合と同様な適度な弾力を有した状態でフィルム巻き取り面１１６を押圧することができる。この点は、押圧部材１１４についても同じである。
【００５４】
本実施形態では、伸縮装置５０１および５０２に伸縮を自在に調整できる機能が備わっている。したがって、伸縮装置５０１および５０２を縮めることで、押圧ローラ１０４を退避させ、巻き取り面１１６を押圧した状態を解除することができる。
【００５５】
最初の巻き芯１０１への巻取り作業では、一様な速度でフィルム１００の巻取りが行われるので、押圧ローラ１０４および２０１を退避させても、大きな問題は起こらない。そして、押圧ローラ１０４および２０１を退避させることで、押圧ローラが存在することで発生するフィルムの捩れや傾きを助長する事態を避けることができる。
【００５６】
このように、押圧ローラ１０４および２０１を適時退避可能な構造とすることで、フィルム巻取り装置に巻き取られるフィルムに捩れや傾きが発生する好ましくない事態の発生を抑制することができる。
【００５７】
伸縮装置５０１および５０２の機構は、例えば油圧や空気圧、形状記憶合金による伸縮機構、さらには公知の伸縮動作を実現するアクチュエータの機構を採用すればよい。
【産業上の利用可能性】
【００５８】
本発明は、フィルムから画像を読み取る画像読み取り装置に利用可能である。特に、フィルムの焼付け作業に利用される画像読み取り装置に利用することが好適である。さらに、本発明は、長手形状のフィルムを巻き取る装置に広く利用可能である。
【図面の簡単な説明】
【００５９】
【図１】本発明のフィルムの巻取り装置の一例の概要を示す上面図である。
【図２】図１のフィルム巻取り装置の巻き芯支持部の断面構造を示す断面図である。
【図３】画像読み取り装置の一例を示す概念図である。
【図４】巻き芯をその軸方向に移動自在にする構造の一例を示す概念図である。
【図５】巻き芯支持部の他の態様の断面構造を示す断面図である。
【符号の説明】
【００６０】
１００…フィルム、１０１…巻き芯、１０２…可動ハウジング、１０３…本体側ハウジング、１０４…押圧ローラ、１０５…押圧ローラ付勢用バネ、１０６…フランジ、１０７…付勢用バネ支持棒、１０８…押圧部材、１０９…駆動軸、１１０…ギア、１１１…モータ、１１２…可動ハウジング付勢用バネ、１１３…付勢用バネ支持棒、１１４…押圧部材、２０１…押圧ローラ、２０２…蝶番、３０１…フィルムカートリッジ、３０３…ガイドローラ、３０４…発光部、３０５…ランプ、３０６…光学系、３０７…受光部、３０８…ガイドローラ、３０９…フィルム巻取り装置、３１１…画像読み取り装置、４０１…溝、４０２…プレート、４０３…中空部、５０１…伸縮装置、５０２…伸縮装置、５０３…軸支部分。
【図１】
2005200188.tif 000003
【図２】
2005200188.tif 000004
【図３】
2005200188.tif 000005
【図４】
2005200188.tif 000006
【図５】
2005200188.tif 000007